(57)【要約】【課題】双方向クラッチにおける回転トルクの伝達の応答性を向上させる。【解決手段】カム面を有する駆動側回転体４、円周面を有する連動側回転体５及び保持器７がセンター軸３に回転自在に支持されている。保持器７はカム面と円周面との間の楔形空間に収容された係合子６を保持する。摩擦保持手段８は、楔係合状態にある係合子６により結合された駆動側回転体４及び連動側回転体５と共に保持器７が回転することを許容し、かつ非係合状態にある係合子６を介して保持器７が駆動側回転体４又は連動側回転体５と連れ回りすることを規制する所定の摩擦保持力で、センター軸３に対して保持器７を保持する。位置決め手段９は、係合子６が非係合状態となるように駆動側回転体４に対して保持器７を周方向に位置決め保持し、かつ駆動側回転体４が回転するときに係合子６が楔係合状態となるように、摩擦保持手段８でセンター軸３に保持された保持器７が駆動側回転体４に対して相対回転することを許容する。【選択図】図１
2008169911.tif 000002
【特許請求の範囲】
【請求項１】
センター軸と、
前記センター軸に回転自在に支持され、カム面を有する駆動側回転体と、
前記センター軸に回転自在に支持され、前記カム面と径方向に対向する円周面を有する連動側回転体と、
前記カム面と前記円周面との間に形成された、周方向の両端が狭小の楔形空間に収容され、該楔形空間の周方向中央部から周方向端部に移動することで前記駆動側回転体及び前記連動側回転体と楔係合状態となる一方、該楔形空間の周方向端部から周方向中央部に移動することで該駆動側回転体及び該連動側回転体と非係合状態となる係合子と、
前記駆動側回転体及び前記連動側回転体の間に配置されるとともに両者と相対回転可能となるように前記センター軸に回転自在に支持され、前記係合子を保持する保持孔を円筒状周壁に有する保持器と、
前記楔係合状態にある前記係合子を介して一体的に結合された前記駆動側回転体及び前記連動側回転体と共に前記保持器が一体的に回転することを許容し、かつ、前記非係合状態にある前記係合子を介して該保持器が該駆動側回転体又は該連動側回転体と連れ回りすることを規制する所定の摩擦保持力で、前記センター軸に対して該保持器を保持する摩擦保持手段と、
前記保持器の前記保持孔に保持された前記係合子が前記非係合状態となるように、前記駆動側回転体に対して該保持器を周方向に位置決め保持し、かつ、該駆動側回転体が回転するときにその回転に応じて該係合子が該非係合状態から前記楔係合状態となるように、前記摩擦保持手段の前記摩擦保持力で前記センター軸に保持された該保持器が該駆動側回転体に対して相対回転することを許容する位置決め手段と、を備えていることを特徴とする双方向クラッチ。
【請求項２】
前記摩擦保持手段は前記摩擦保持力を発揮する弾力を有する請求項１に記載の双方向クラッチ。
【請求項３】
前記摩擦保持手段は、前記センター軸に固定又は一体成形された円板部と、該円板部の外周面に一体成形され、前記保持器の前記円筒状周壁の内周面に弾性変形した状態で当接された弾性変形可能な湾曲腕部とを有している請求項２に記載の双方向クラッチ。
【請求項４】
前記湾曲腕部は、該湾曲腕部から遠心方向に突出して前記保持器の前記円筒状周壁の内周面に当接された突起部を有している請求項３に記載の双方向クラッチ。
【請求項５】
前記位置決め手段は、前記駆動側回転体と前記保持器との間に介在されたスプリングよりなる請求項１乃至４のいずれか一つに記載の双方向クラッチ。
【請求項６】
前記駆動側回転体が駆動源と連結されるとともに前記連動側回転体がスイングフィンと連結された請求項１乃至５のいずれか一つに記載の双方向クラッチを備えていることを特徴とする風向調節装置。
【発明の詳細な説明】
【技術分野】
【０００１】
本発明は双方向クラッチ及び風向調節装置に関し、詳しくは、駆動側回転体から連動側回転体へは正方向、逆方向ともに回転トルクを伝達する一方、連動側回転体から駆動側回転体へは正方向、逆方向ともにトルク伝達を遮断する双方向クラッチと、この双方向クラッチを備えた風向調節装置に関する。
【背景技術】
【０００２】
自動車のエアーコンディショナーに用いられる風向調節装置の中には、自動でスイングフィンが揺動して風向を連続的に変化させることができるもの（スイングレジスタ）がある。この種の風向調節装置におけるスイングフィンは、ステッピングモータなどの駆動源により駆動されて揺動する。しかしながら、このような風向を自動調節可能なスイングレジスタにおいても、手動によって、搭乗者がその時の感覚に応じて風向を任意に変更できる構造であることが望ましい。ところが、スイングレジスタにおけるスイングフィンは駆動源と連結されている。このため、搭乗者が手動でスイングフィンを動かすと、それにより駆動源に負荷がかかってしまう。また、駆動源との連結構造に基づく抵抗があるため、手動時の操作フィーリングもあまり良くない。
【０００３】
そこで、手動時に駆動源に負荷がかからず、また、操作フィーリング性も向上したスイングレジスタとして、双方向クラッチを備えたものが知られている（特許文献１等参照）。
【０００４】
このスイングレジスタにおける双方向クラッチでは、駆動源に連結された駆動筒部と、スイングフィンに連結された連動筒部とが、互いに反対方向に捲回された大小２つのコイルばねにより押圧連結されている。そして、自動モード時に駆動源からの回転駆動力により駆動筒部が回転すると、コイルばねの縮径による締め付けを介して、駆動筒部から連動筒部へ正、逆両方向の回転トルクが伝達され、スイングフィンが揺動する。一方、操作ノブ等のマニュアル操作によりスイングフィンを動かしたときは、スイングフィンから連動筒部に回転力が伝達されて連動筒部が回転するが、拡径によりコイルバネの締め付けが緩むことで、連動筒部から駆動筒部への正、逆両方向のトルク伝達が遮断される。
【特許文献１】特開２００３−１３００８３号公報
【発明の開示】
【発明が解決しようとする課題】
【０００５】
しかしながら、上記従来のスイングレジスタにおける双方向クラッチでは、トルク伝達の応答性が低いという問題があった。
【０００６】
すなわち、上記従来の双方向クラッチでは、コイルばねの縮径により、回転トルクの伝達がなされるため、コイルばねが縮径するときに、コイルばねと駆動筒部及び連動筒部との間で滑りが発生すると、その分だけ回転トルクの伝達の応答性が悪くなってしまう。
【０００７】
本発明は上記実情に鑑みてなされたものであり、双方向クラッチにおける回転トルクの伝達の応答性を向上させることを解決すべき技術課題とするものである。
【課題を解決するための手段】
【０００８】
（１）上記課題を解決する本発明の双方向クラッチは、センター軸と、前記センター軸に回転自在に支持され、カム面を有する駆動側回転体と、前記センター軸に回転自在に支持され、前記カム面と径方向に対向する円周面を有する連動側回転体と、前記カム面と前記円周面との間に形成された、周方向の両端が狭小の楔形空間に収容され、該楔形空間の周方向中央部から周方向端部に移動することで前記駆動側回転体及び前記連動側回転体と楔係合状態となる一方、該楔形空間の周方向端部から周方向中央部に移動することで該駆動側回転体及び該連動側回転体と非係合状態となる係合子と、前記駆動側回転体及び前記連動側回転体の間に配置されるとともに両者と相対回転可能となるように前記センター軸に回転自在に支持され、前記係合子を保持する保持孔を円筒状周壁に有する保持器と、前記楔係合状態にある前記係合子を介して一体的に結合された前記駆動側回転体及び前記連動側回転体と共に前記保持器が一体的に回転することを許容し、かつ、前記非係合状態にある前記係合子を介して該保持器が該駆動側回転体又は該連動側回転体と連れ回りすることを規制する所定の摩擦保持力で、前記センター軸に対して該保持器を保持する摩擦保持手段と、前記保持器の前記保持孔に保持された前記係合子が前記非係合状態となるように、前記駆動側回転体に対して該保持器を周方向に位置決め保持し、かつ、該駆動側回転体が回転するときにその回転に応じて該係合子が該非係合状態から前記楔係合状態となるように、前記摩擦保持手段の前記摩擦保持力で前記センター軸に保持された該保持器が該駆動側回転体に対して相対回転することを許容する位置決め手段と、を備えていることを特徴とする。
【０００９】
本発明の双方向クラッチは、駆動側回転体及び連動側回転体と係合子とを楔係合させることで、駆動側回転体から連動側回転体には正方向、逆方向ともに回転トルクを伝達する一方、前記楔係合を解除することで、連動側回転体から駆動側回転体には正方向、逆方向ともにトルク伝達を遮断するものである。
【００１０】
本発明の双方向クラッチでは、駆動側回転体、連動側回転体及び両者間に配置され係合子を保持する保持器が、センター軸に回転自在に支持されている。
【００１１】
そして、保持器は、摩擦保持手段による所定の摩擦保持力でセンター軸に対して保持されている。この摩擦保持手段の摩擦保持力は、楔係合状態にある係合子を介して一体的に結合された駆動側回転体及び連動側回転体と共に保持器が一体的に回転することを許容し、かつ、非係合状態にある係合子を介して保持器が駆動側回転体又は連動側回転体と連れ回りすることを規制しうる、所定の大きさのものである。
【００１２】
また、保持器は、位置決め手段により、保持器の保持孔に保持された係合子が非係合状態となるように、すなわち係合子が楔形空間の周方向中央部の中立位置に位置するように、駆動側回転体に対して周方向に位置決めされている。ところが、この位置決め手段は、駆動側回転体が回転するときにその回転に応じて係合子が楔形空間の周方向中央部の中立位置に周方向端部の係合位置まで移動して非係合状態から楔係合状態となるように、摩擦保持手段の摩擦保持力でセンター軸に保持された保持器が駆動側回転体に対して相対回転することを許容するものである。
【００１３】
このため、駆動源から駆動側回転体に回転駆動力が入力されて駆動側回転体が例えば正方向に回転すると、摩擦保持手段の摩擦保持力でセンター軸に保持された保持器が駆動側回転体に対して相対回転する。すなわち、摩擦保持手段の所定の摩擦保持力でセンター軸に保持された保持器は回転せず、駆動側回転体のみが回転する。これにより、保持器の保持孔に保持された係合子が楔形空間の周方向中央部から周方向端部に移動して駆動側回転体及び連動側回転体と楔係合状態となる。その結果、駆動側回転体及び連動側回転体が係合子を介して一体的に結合され、駆動側回転体の回転トルクが連動側回転体に伝達される。したがって、駆動側回転体、連動側回転体、係合子及び保持器等が一体的に回転する。なお、駆動側回転体が逆方向に回転した場合も同様に作用する。
【００１４】
ここに、本発明の双方向クラッチでは、駆動側回転体が回転しても保持器は回転しないため、駆動側回転体が回転すれば、それと同時に駆動側回転体と保持器とが相対回転する。このため、駆動側回転体が回転したときにおける係合子の中立位置（楔形空間の周方向中央部）から係合位置（楔形空間の周方向端部）への移動は駆動側回転体の回転と同時に起こり、係合子は非係合状態から速やかに楔係合状態になる。したがって、駆動側回転体から連動側回転体へ速やかに回転トルクが伝達され、駆動側回転体から連動側回転体へのトルク伝達の応答性が向上する。
【００１５】
一方、連動側回転体が例えば正方向に回転した場合、この連動側回転体の円周面に非係合状態にある係合子が接しているときは、連動側回転体の円周面との摩擦力により連動側回転体の回転力が係合子に伝わって、係合子が周方向に移動しようとする。ところが、この係合子を保持する保持器は、センター軸に対して所定の摩擦保持力で保持されているため、回転しない。なお、非係合状態にある係合子が連動側回転体の円周面に接していないときは、連動側回転体の回転力が係合子に伝わらないため、係合子が周方向に移動しようとすることもない。このため、連動側回転体が回転しても保持器がそれに連れ回りすることがなく、保持器に保持された係合子も楔形空間の周方向中央部から周方向端部に移動することがなく非係合状態のまま維持される。したがって、連動側回転体から駆動側回転体に回転トルクが伝達されることもない。なお、駆動側回転体が逆方向に回転した場合も同様に作用する。
【００１６】
（２）本発明の双方向クラッチの好適な態様において、前記摩擦保持手段は前記摩擦保持力を発揮する弾力を有する。
【００１７】
すなわち、センター軸に対して所定の摩擦保持力で保持器を保持する摩擦保持手段は、弾力により所定の摩擦保持力を発揮するものであることが好ましい。例えば、嵌合凸部と嵌合凹部（嵌合穴）との嵌合代を調整することで凹凸嵌合部における摩擦力を利用して摩擦保持力を発揮させることもできるが、この場合摩擦保持力の大きさを所定のものにするための嵌合代の調整が困難である。その点、摩擦保持手段が有する弾力により所定の摩擦保持力を発揮する構成であれば、例えば凹凸嵌合部における嵌合代の調整と比べて、容易に、所定の摩擦保持力に調整することができる。
【００１８】
（３）本発明の双方向クラッチの好適な態様において、前記摩擦保持手段は、前記センター軸に固定又は一体成形された円板部と、該円板部の外周面に一体成形され、前記保持器の前記円筒状周壁の内周面に弾性変形した状態で当接された弾性変形可能な湾曲腕部とを有している。
【００１９】
この構成によれば、弾性変形可能な湾曲腕部における形状、大きさや材質等を変化させることで、湾曲腕部の弾力を容易に変化させることができるので、前記摩擦保持力の大きさを容易に所定のものに調整することが可能となる。
【００２０】
また、湾曲腕部と一体成形された円板部をセンター軸に一体成形する場合には、ばね部材等の摩擦保持手段を別途設ける必要がなくなるので、構造の簡素化や部品点数の低減を図ることができる。
【００２１】
（４）さらに、前記湾曲腕部は、該湾曲腕部から遠心方向に突出して前記保持器の前記円筒状周壁の内周面に当接された突起部を有していることが好ましい。
【００２２】
この構成によれば、湾曲腕部のうちの突起部が保持器の円筒状周壁の内周面に当接することになるので、湾曲腕部と保持器の内周面との接触面積が減少する。このため、係合子を介して駆動側回転体から連動側回転体に回転トルクが伝達されて駆動側回転体、連動側回転体及び保持器等が一体的に回転するときに、保持器と湾曲腕部との接触による摺動抵抗が減少する。したがって、駆動側回転体を回転駆動させるための回転駆動力を減少させることができ、駆動源における負荷を小さくすることが可能となる。
【００２３】
（５）本発明の双方向クラッチの好適な態様において、前記位置決め手段は、前記駆動側回転体と前記保持器との間に介在されたスプリングよりなる。
【００２４】
すなわち、駆動側回転体に対する保持器の周方向における相対位置関係を調節する位置決め手段は、駆動側回転体と前記保持器との間に介在されたスプリングよりなることが好ましい。スプリングは、その形状、大きさや材質等を変更することで、ばね力を容易に調整することができる。このため、板ばね等のスプリングを駆動側回転体と前記保持器との間に介在させる構成によれば、摩擦保持手段における摩擦保持力の大きさとの関係で、スプリングのばね力を調整することが容易となる。
【００２５】
（６）請求項６に記載の風向調節装置は、前記駆動側回転体が駆動源と連結されるとともに前記連動側回転体がスイングフィンと連結された請求項１乃至５のいずれか一つに記載の双方向クラッチを備えていることを特徴とする。
【００２６】
すなわち、本発明の双方向クラッチは、好適な態様において、風向調節装置に組み込んで使用することができる。風向調節装置は、自動モードのときは駆動側から連動側へトルクを伝達し、手動モードのときは連動側から駆動側へトルクを遮断する必要がある。このため、トルク伝達時の迅速性に優れた本発明の双方向クラッチを風向調節装置に用いると、自動モードにおけるトルク伝達の応答性が向上する。
【発明の効果】
【００２７】
本発明によれば、トルク伝達の応答性が向上した双方向クラッチ及び風向調節装置を提供することができる。
【発明を実施するための最良の形態】
【００２８】
以下、本発明の実施形態について、図面を参照しつつ具体的に説明する。
【００２９】
まず、本実施形態に係る双方向クラッチの構成について説明する。図１に本実施形態に係る双方向クラッチの分解斜視図を示す。また、図２にこの双方向クラッチの軸方向断面図を示す。図に示すように、本実施形態に係る双方向クラッチ１は、取り付け座２と、センター軸３と、駆動側回転体４と、連動側回転体５と、５個の係合子６と、保持器７と、摩擦保持手段８と、位置決め手段９とを備えている。
【００３０】
取り付け座２は、コの字状の断面形状を有するＰＯＭ製の一体成形品であって、互いに対向する一対の板部２０、２０と、両板部２０、２０の端部同士を連結する側壁部２１とを有している。そして、一対の板部２０、２０には、互いに対向する位置に、一対の嵌合穴２００、２００と、一対の円筒状座部２０１、２０１とが設けられている。
【００３１】
センター軸３はＰＯＭ製の一体成形品であって、軸部３０と、この軸部３０の略中央部に一体成形された円板部３１とを有している。なお、円板部３１は、センター軸３の軸部３０に嵌合固定してもよい。センター軸３の軸部３０は、取り付け座の各嵌合穴２００、２００内に嵌合固定されている。これにより、センター軸３は、取り付け座２に回転不能に保持されている。センター軸３の円板部３１の外周面には、円板部３１の外周と間隔をおいて円弧状に延びる３個の弾性変形可能な湾曲腕部３２、３２、３２が一体成形されている。また、各湾曲腕部３２の先端には、遠心方向に突出して保持器７の後述する円筒状周壁部７１の内周面に当接する突起部３２０がそれぞれ一体されている。
【００３２】
駆動側回転体４は、ＰＯＭ製の一体成形品であって、センター軸３の軸部３０の一端側（図２の上端側）に回転自在に支持されている。この駆動側回転体４は、駆動側歯車部４０と、駆動側円筒部４１とを有している。駆動側歯車部４０の中央には、センター軸３の軸部３０の一端側が挿通される駆動側挿通孔４００が形成されている。また、駆動側歯車部４０の周縁には、駆動歯４０１が形成されている。駆動側円筒部４１の内周面には、５個のカム面４１０が周方向に等間隔に形成されている（図３〜図５参照）。各カム面４１０は、略Ｕ字状の断面形状で、駆動側円筒部４１の軸方向全体に延びている。また、駆動側円筒部４１の先端側（図２の下端側）には、２つのカム面４１０、４１０間に、駆動側円筒部４１の厚さ方向に貫通する取付挿通孔４１１が形成されている（図４参照）。
【００３３】
連動側回転体５は、ＰＯＭ製の一体成形品であって、センター軸３の軸部３０の他端側（図２の下端側）に回転自在に支持されている。この連動側回転体５は、連動側歯車部５０と、連動側円筒部５１とを有している。連動側歯車部５０の中央には、センター軸３の軸部３０の他端側が挿通される連動側挿通孔５００が形成されている。また、連動側歯車部５０の周縁には、連動歯５０１が形成されている。連動側円筒部５１は、駆動側円筒部４１の内径よりも所定量小さな外径を有し、駆動側円筒部４１の先端側と径方向に対向している。このため、この連動側円筒部５１の外周面は、各カム面４１０と径方向に対向する円周面５１０とされている。これにより、駆動側回転体４の駆動側円筒部４１と連動側回転体５の連動側円筒部５１との間には、駆動側円筒部４１の各カム面４１０と連動側円筒部５１の円周面５１０との間に、周方向の両端が狭小とされた５個の楔形空間５１１が形成されている（図３参照）。
【００３４】
各係合子６は、ＰＯＭ製であって、円柱形状のローラよりなる。各係合子６は、駆動側回転体４の駆動側円筒部４１と連動側回転体５の連動側円筒部５１との間の径方向隙間よりも大きく、かつ、楔形空間５１１の周方向中央部におけるカム面４１０と円周面５１０との間の径方向隙間よりも小さな外径を有している。このため、各係合子６は、楔形空間５１１の周方向中央部から周方向端部に移動することで駆動側回転体４の駆動側円筒部４１及び連動側回転体５の連動側円筒部５１と楔係合状態となる一方、楔形空間５１１の周方向端部から周方向中央部に移動することで駆動側回転体４の駆動側円筒部４１及び連動側回転体５の連動側円筒部５１と非係合状態となる。
【００３５】
保持器７は、ＰＯＭ製の一体成形品であって、一端（図２の下端）が開口する有底円筒形状をなし、円板状底部７０と、円筒状周壁部７１とを有している。円板状底部７０の中央には、センター軸３の軸部３０の一端側が挿通される挿通孔７００が形成されている。円筒状周壁部７１は、駆動側回転体４の駆動側円筒部４１の内径よりも若干小さな外径と、連動側回転体５の連動側円筒部５１の外径よりも若干大きな内径とを有しており、駆動側円筒部４１と連動側円筒部５１との間に配置されている。この円筒状周壁部７１の一端側（図２の下端側）には、５個の保持孔７１０が周方向に等間隔に形成されている。各保持孔７１０は、各係合子６の外径と略同等の周方向幅を有している。このため、保持孔７１０に保持された係合子６は、保持孔７１０内で周方向にはほとんど移動不能となされている。また、保持器７の円筒状周壁部７１の先端側（図２の下端側）には、２つの保持孔７１０、７１０間に、円筒状周壁部７１の厚さ方向に貫通する係合孔７１１が形成されている（図４参照）。
【００３６】
摩擦保持手段８は、センター軸３の軸部３０に一体成形された、円板部３１、各湾曲腕部３２及び各突起部３２０により構成されている。この摩擦保持手段８においては、各湾曲腕部３２が所定量弾性変形した状態で、各湾曲腕部３２の各突起部３２０が保持器７の円筒状周壁部７１の内周面に当接している。これにより、保持器７は、摩擦保持手段８による所定の摩擦保持力で、センター軸３に対して保持されている。この摩擦保持手段８の摩擦保持力は、楔係合状態にある各係合子６を介して一体的に結合された駆動側回転体４及び連動側回転体５と共に保持器７が一体的に回転することを許容し、かつ、非係合状態にある各係合子６を介して保持器７が駆動側回転体４又は連動側回転体５と連れ回りすることを規制しうるように、所定の大きさとされている。
【００３７】
位置決め手段９は、ばね鋼製の一体成形品で、駆動側回転体４と保持器７との間に介在されたスプリングよりなる。具体的には、位置決め手段９は、取付部９０と、断面コの字状の板ばね部９１とからなる。取付部９０は、駆動側回転体４の駆動側円筒部４１に形成された図示しない取付孔に挿入保持される。板ばね部９１は、駆動側円筒部４１に形成された取付挿通孔４１１内に挿通されるとともに、保持器７の円筒状周壁部７１に形成された係合孔７１１に係合される。これにより、位置決め手段９は、保持器７の保持孔７１０に保持された係合子６が非係合状態となるように、板ばね部９１のばね力により、駆動側回転体４に対して保持器７を周方向に位置決め保持する。また、位置決め手段９における板ばね部９１のばね力は、駆動側回転体４が回転するときにその回転に応じて係合子６が非係合状態から楔係合状態となるように、摩擦保持手段８の前記摩擦保持力でセンター軸３に保持された保持器７が駆動側回転体４に対して相対回転することを許容する大きさとされている。
【００３８】
次に、本実施形態に係る双方向クラッチ１の製造方法について説明する。まず、取り付け座２、センター軸３、駆動側回転体４、連動側回転体５、係合子６及び保持器７を射出成形によりそれぞれ作製する。次に、センター軸３の軸部３の他端（図２の下端）を連動側回転体５の連動側挿通孔５００に挿通する。そして、センター軸３の軸部３０の一端（図２の上端）を保持器７の挿通孔７００に挿通する。このとき、センター軸３の各湾曲腕部３２を弾性変形させた状態で、各湾曲腕部３２の各突起部３２０を保持器７の円筒状周壁部７１の内周面に当接させる。そして、保持器７の各保持孔７１０内に各係合子６をそれぞれ保持させた後、センター軸３の軸部３の一端（図２の上端）を駆動側回転体４の駆動側挿通孔４００に挿通する。最後に、取り付け座２を弾性変形させながら、センター軸３の軸部３０の両端を取り付け座２の嵌合穴２００、２００に嵌合固定する。この状態で、駆動側回転体４の駆動側歯車部４０及び連動側回転体５の連動側歯車部５０は、取り付け座２の円筒状座部２０１、２０１と摺動可能となる。このような手順で、本実施形態に係る双方向クラッチ１を製造する。
【００３９】
次に、本実施形態に係る双方向クラッチ１の作動について、風向調節装置に組み込まれた場合を例として説明する。図５に本実施形態に係る双方向クラッチが組み込まれた風向調節装置１０の軸方向断面図を示す。
【００４０】
図に示すように、この風向調節装置１０は、駆動源であるステッピングモータ１１と、ＡＢＳ製の取り付け板１２と、双方向クラッチ１と、スイングフィン１３と、リテーナ１４と、回転方向切り替え手段１５とを備えている。取り付け板１２は、リテーナ１４の外面に、スクリュー１６等により取り付けられている。この取り付け板１２には、ステッピングモータ１１と双方向クラッチ１とがスクリュー（図示せず）等により並設されている。ステッピングモータ１１は正方向のみに回転するもので、このステッピングモータ１１の駆動軸１１０には駆動ギア１１１が止着されている。そして、駆動ギア１１１と、クラッチ１の駆動側回転体４の駆動側歯車部４０との間には、回転方向切り替え手段１５が介装されている。この回転方向切り替え手段１５は、正方向に回転する駆動ギア１１１の回転駆動力を、タイマー制御等により正方向又は逆方向に選択的に切り替えて、駆動側回転体４に伝達、入力するものである。
【００４１】
スイングフィン１３は、リテーナ１４の内部に配置されている。またスイングフィン１３の揺動軸１３０は、リテーナ１４の外部に突出している。そして揺動軸１３０の突出端には、フィン歯車１３１が配置されている。このフィン歯車１３１と、双方向クラッチ１の連動側回転体５の連動側歯車部５０とが噛み合っている。
【００４２】
このように、ステッピングモータ１１と双方向クラッチ１の駆動側回転体４とは連結されている。また、双方向クラッチ１の連動側回転体５とスイングフィン１３とは連結されている。
【００４３】
次に、風向調節装置１０が自動モードのときの、ステッピングモータ１１からスイングフィン１３へのトルク伝達について説明する。ステッピングモータ１１の駆動軸１１０が回転すると、駆動軸１１０に止着された駆動ギア１１１も回転する。そして、回転方向切り替え手段１５を介して、双方向クラッチ１の駆動側回転体４に回転駆動力が入力される。
【００４４】
例えば、図６（ａ）に示されるように双方向クラッチ１における係合子６が非係合状態にあるときに、ステッピングモータ１１から駆動側回転体４に例えば正方向（図６における時計回り方向）の回転駆動力が入力されて駆動側回転体４が正方向に回転すると、摩擦保持手段８の摩擦保持力でセンター軸３に保持された保持器７が駆動側回転体４に対して相対回転する。すなわち、摩擦保持手段８の所定の摩擦保持力でセンター軸４に保持された保持器７は回転せず、駆動側回転体４のみが回転する。
【００４５】
これにより、図６（ｂ）に示されるように、保持器７の各保持孔７１０に保持された各係合子６が楔形空間５１１の周方向中央部から周方向端部（駆動側回転体４が回転する回転退行方向の周方向端部）に移動して駆動側回転体４の駆動側円筒部４１及び連動側回転体５の連動側円筒部５１と楔係合状態となる。その結果、駆動側回転体４及び連動側回転体５が各係合子６を介して一体的に結合され、駆動側回転体４の回転トルクが連動側回転体５に伝達される。したがって、駆動側回転体４、連動側回転体５、各係合子６及び保持器７等が一体的に回転する。このとき、摩擦保持手段８を構成する各湾曲腕部３２の各突起部３２０は保持器７の円筒状周壁部７１の内周面と摺動する。なお、駆動側回転体４が逆方向（図６の反時計回り方向）に回転した場合も同様に作用する。
【００４６】
そして、双方向クラッチ１の連動側回転体５の連動側歯車部５０と、スイングフィン１３のフィン歯車１３１とが噛み合うことにより、連動側回転体５から揺動軸１３０に回転駆動力が出力され、スイングフィン１３が揺動する。
【００４７】
ここに、本実施形態に係る双方向クラッチ１は、駆動側回転体４が回転しても保持器７は回転しないため、駆動側回転体４が回転すれば、それと同時に駆動側回転体４と保持器７とが相対回転する。このため、駆動側回転体４が回転したときにおける各係合子６の中立位置（楔形空間の周方向中央部）から係合位置（楔形空間の周方向端部）への移動は駆動側回転体４の回転と同時に起こり、各係合子６は非係合状態から速やかに楔係合状態になる。したがって、駆動側回転体４から連動側回転体５へ速やかに回転トルクが伝達され、駆動側回転体４から連動側回転体５へのトルク伝達の応答性が向上する。
【００４８】
なお、自動モード時、スイングフィン１３が一方の方向に最大限に揺動した後は、タイマー等の作動により、回転方向切り替え手段１５が作動する。これにより、正方向に回転する駆動ギア１１１の回転駆動力が、例えば正方向から逆方向に切り替えられて、駆動側回転体４に伝達、入力される。そうすると、駆動側回転体４は、逆方向（図６の反時計回り方向）に回転する。このとき、摩擦保持手段８の所定の摩擦保持力でセンター軸４に保持された保持器７は回転せず、駆動側回転体４のみが回転する。これにより、保持器７の各保持孔７１０に保持された各係合子６は、楔形空間５１１の周方向端部から周方向中央部を経由して反対側の周方向端部（駆動側回転体４の回転退行方向の周方向端部）に移動して、再び駆動側回転体４の駆動側円筒部４１及び連動側回転体５の連動側円筒部５１と楔係合状態となる。したがって、駆動側回転体４及び連動側回転体５が各係合子６を介して一体的に結合され、駆動側回転体４の回転トルクが連動側回転体５に伝達される。よって、連動側回転体５から揺動軸１３０に逆方向の回転駆動力が出力され、スイングフィン１３が逆方向に揺動する。
【００４９】
一方、風向調節装置１０が手動モードのときの、スイングフィン１３からステッピングモータ１１へのトルク遮断について説明する。図５に示すスイングフィン１３の操作ノブ（図略）が搭乗者により把持され操作されると、揺動軸１３０を中心にスイングフィン１３が揺動する。そしてフィン歯車１３１が回転する。フィン歯車１３１が回転すると、フィン歯車１３０と双方向クラッチ１の連動側回転体５の連動側歯車部５０との噛合を介して、連動側回転体５にトルクが伝達される。
【００５０】
例えば、図６（ａ）に示されるように双方向クラッチ１における係合子６が非係合状態にあるときに、連動側回転体５が例えば正方向（図６における時計回り方向）に回転した場合、この連動側回転体５の円周面５１０に非係合状態にある係合子６が接しているときは、連動側回転体５の円周面５１０との摩擦力により連動側回転体５の回転力が係合子６に伝わって、係合子６が周方向に移動しようとする。ところが、この係合子６を保持する保持器７は、摩擦保持手段８によりセンター軸３に対して所定の摩擦保持力で保持されているため、回転しない。なお、非係合状態にある係合子６が連動側回転体５の円周面５１０に接していないときは、連動側回転体５の回転力が係合子６に伝わらないため、係合子６が周方向に移動しようとすることもない。このため、連動側回転体５が回転しても保持器７がそれに連れ回りすることがなく、保持器７の保持孔７１０に保持された係合子６も楔形空間５１１の周方向中央部から周方向端部に移動することがなく非係合状態のまま維持される。したがって、連動側回転体５から駆動側回転体４に回転トルクが伝達されることもない。なお、駆動側回転体５が逆方向に回転した場合も同様に作用する。
【００５１】
したがって、搭乗者によりスイングフィン１３に加えられた負荷が、ステッピングモータ１１に伝達されることはない。また、搭乗者が操作ノブ等の操作時に、抵抗を感じることもない。
【００５２】
また、本実施形態に係る双方向クラッチ１では、センター軸３の軸部３０に一体成形された円板部３１と、この円板部３１に一体成形された弾性変形可能な各湾曲腕部３２と、各湾曲腕部３２に一体成形された各突起部３２０とから摩擦保持手段８を構成し、各湾曲腕部３２における樹脂弾力により所定の摩擦保持力を発揮させている。このため、各湾曲腕部３２の形状や大きさ等を変更することで、所定の摩擦保持力に容易に調整することができる。また、所定の摩擦保持力を発揮させるためにばね材等の摩擦保持手段を別途設ける必要がないので、構造の簡素化や部品点数の低減を図ることができる。さらに、各湾曲腕部３２の各突起部３２０が保持器７の円筒状周壁部７１の内周面に当接しているので、楔係合状態にある係合子６を介して一体的に結合された駆動側回転体４、連動側回転体５及び保持器７等が一体的に回転するときに、保持器７と湾曲腕部３２との接触による摺動抵抗が減少し、ステッピングモータ１１における負荷を小さくすることが可能となる。
【００５３】
加えて、本実施形態に係る双方向クラッチ１では、位置決め手段９が駆動側回転体４と保持器７との間に介在されたスプリングよりなるため、スプリングの形状や大きさ等を変更することで、位置決め手段９におけるばね力を容易に調整することができる。このため、摩擦保持手段８における摩擦保持力の大きさとの関係で、位置決め手段９におけるスプリングのばね力を調整することが容易となる。
【００５４】
以上、本発明の双方向クラッチ及び風向調節装置の実施の形態について説明した。しかしながら実施の形態は上記形態に特に限定されるものではない。当業者が行いうる種々の変形的形態、改良的形態で行うことも可能である。
【００５５】
例えば、前記実施形態では、センター軸３の軸部３０に一体成形された円板部３１及び湾曲腕部３２等により摩擦保持手段８を構成して、樹脂弾性により所定の摩擦保持力を発揮する例について説明した。しかしながら、摩擦保持手段８として、例えばゴム弾性体や板ばね等を採用してゴム弾性や金属弾性により所定の摩擦保持力を発揮させる構成としてもよい。また、これらのゴム弾性体や板ばね等は、センター軸３に固定してもよいし、保持器７に固定してもよい。
【００５６】
また、前記実施形態では、位置決め手段９として、板ばねよりなるスプリングを採用し、このスプリングを駆動側回転体４に固定する例について説明したが、板ばねの代わりに、ゴム弾性体を採用したり、あるいは駆動側回転体４に一体成形された樹脂弾性部としたりすることもできる。また、これらの板ばねやゴム弾性体等を保持器７に固定したり、あるいは樹脂弾性部を保持器７に一体成形したりしてもよい。
【００５７】
加えて、前記係合子６及び前記カム面４１０等の形状や数等はそれらの機能を適切に果たしうる範囲内で適宜設定可能である。また、係合子６として、摺動抵抗の小さい金属製のローラやボール等を採用することもできる。
【００５８】
また、本発明の双方向クラッチは、風向調節装置以外にも、例えばコピー、プリンターやファックスなどの給紙装置に組み込んで使用することも可能である。
【図面の簡単な説明】
【００５９】
【図１】本実施形態に係る双方向クラッチの分解斜視図である。
【図２】本実施形態に係る双方向クラッチの軸方向断面図である。
【図３】図２におけるＡ−Ａ線矢視断面図である。
【図４】図２におけるＢ−Ｂ線矢視断面図である。
【図５】本実施形態に係る双方向クラッチが組み込まれた風向調節装置の軸方向断面図である。
【図６】本実施形態に係る双方向クラッチの作動を説明する部分拡大断面図であり、（ａ）は係合子が非係合状態にある状態を示し、（ｂ）は係合子が楔係合状態となった状態を示す。
【符号の説明】
【００６０】
１：双方向クラッチ、２：取り付け座、３：センター軸、３０：軸部、３１：円板部、３２：湾曲腕部、３２０：突起部、４：駆動側回転体、４０：駆動側歯車部、４１：駆動側円筒部、５：連動側回転体、５０：連動側歯車部、５１：連動側円筒部、６：係合子、７：保持器、７１：円筒状周壁部、７１０：保持孔、８：摩擦保持手段、９：位置決め手段、１０：風向調節装置、１１：ステッピングモータ（駆動源）、１３：スイングフィン
【図１】
2008169911.tif 000003
【図２】
2008169911.tif 000004
【図３】
2008169911.tif 000005
【図４】
2008169911.tif 000006
【図５】
2008169911.tif 000007
【図６】
2008169911.tif 000008